(57)【要約】【課題】サーバにおいて複数の品質のコンテンツが備えられている場合に、どの程度の品質のコンテンツを取得したかを確認することが可能な通信端末装置を提供する。【解決手段】無線通信端末１は、同一コンテンツに対してコンテンツ品質が異なる複数のコンテンツを備え、通信品質に基づいて選択した選択コンテンツ品質のコンテンツを配信するサーバから、選択コンテンツ品質のコンテンツを取得する。また、選択コンテンツ品質を示す情報、最高コンテンツ品質を示す情報を受信する通信部１１と、最高コンテンツ品質に対する選択コンテンツ品質の良好度を示すコンテンツ品質良好度を算出するコンテンツ品質測定部１３と、コンテンツ品質良好度を示す情報を表示する表示部１７とを有する構成としている。【選択図】図１
2009117963.tif 000002
【特許請求の範囲】
【請求項１】
同一コンテンツに対してコンテンツ品質が異なる複数のコンテンツを備え、通信を行う際の通信品質に基づいて選択した選択コンテンツ品質のコンテンツを配信するサーバから、前記選択コンテンツ品質のコンテンツを取得する通信端末装置であって、
前記選択コンテンツ品質を示す情報、前記複数のコンテンツ品質のうち最高のコンテンツ品質を示す情報、および前記選択コンテンツ品質のコンテンツを受信する受信部と、
前記最高のコンテンツ品質および前記選択コンテンツ品質に基づいて、前記最高のコンテンツ品質に対する前記選択コンテンツ品質の良好度を示すコンテンツ品質良好度を算出する算出部と、
前記コンテンツ品質良好度を示す情報を表示する表示部と
を有する通信端末装置。
【請求項２】
請求項１に記載の通信端末装置であって、
前記選択コンテンツ品質を示す情報および前記最高のコンテンツ品質を示す情報と前記サーバを識別するための通信先識別子とを対応付けて記憶する記憶部をさらに備える通信端末装置。
【請求項３】
請求項１に記載の通信端末装置であって、
前記受信部は、前記選択コンテンツ品質を示す情報として、前記サーバから前記通信品質に基づいた同一コンテンツの複数の選択コンテンツ品質を示す情報を受信し、
前記算出部は、前記コンテンツ品質良好度を算出するための前記選択コンテンツ品質として、受信した前記複数の選択コンテンツ品質の時間平均値を用いる通信端末装置。
【請求項４】
請求項１に記載の通信端末装置であって、
前記受信部は、前記選択コンテンツ品質を示す情報として、前記サーバから前記通信品質に基づいた同一コンテンツの複数の選択コンテンツ品質を示す情報を定期的に受信し、
前記算出部は、前記コンテンツ品質良好度を算出するための前記選択コンテンツ品質として、受信した前記複数の選択コンテンツ品質の平均値を用いる通信端末装置。
【請求項５】
請求項１ないし４のいずれか１項に記載の通信端末装置であって、更に、
当該通信端末装置と前記サーバとの間の前記通信品質を測定する通信品質測定部を有し、
前記記憶部は、前記通信品質と前記通信先識別子とを対応付けて記憶する通信端末装置。
【請求項６】
請求項５に記載の通信端末装置であって、
前記記憶部は、前記コンテンツ品質良好度をさらに記憶し、
当該通信端末装置は、更に、前記記憶部に記憶された通信品質、コンテンツ品質良好度、および前記通信品質測定部によって測定された通信品質に基づいて、前記通信品質測定部によって測定された通信品質で通信を行う場合の前記選択コンテンツ品質を予測するコンテンツ品質予測部を有する通信端末装置。
【請求項７】
請求項５または６に記載の通信端末装置であって、
前記通信品質測定部は、電波強度、アンテナ強度、および接続網の種類の少なくとも１つに基づいて前記通信品質を測定する通信端末装置。
【請求項８】
請求項１ないし７のいずれかに記載の通信端末装置であって、更に、
前記コンテンツを再生する再生部を有する通信端末装置。
【請求項９】
同一コンテンツに対してコンテンツ品質が異なる複数のコンテンツを備え、通信を行う際の通信品質に基づいて選択した選択コンテンツ品質のコンテンツを配信するサーバから、通前記選択コンテンツ品質のコンテンツを取得する通信端末装置の情報表示方法であって、
前記選択コンテンツ品質を示す情報、前記複数のコンテンツ品質のうち最高のコンテンツ品質を示す情報、および前記選択コンテンツ品質のコンテンツを受信するステップと、
前記最高のコンテンツ品質および前記選択コンテンツ品質に基づいて、前記最高のコンテンツ品質に対する前記選択コンテンツ品質の良好度を示すコンテンツ品質良好度を算出するステップと、
前記コンテンツ品質良好度を示す情報を表示するステップと
を有する情報表示方法。
【発明の詳細な説明】
【技術分野】
【０００１】
本発明は、サーバから通信品質に応じて最適なコンテンツ品質でコンテンツを取得することのできる通信端末装置およびその通信端末装置の情報表示方法に関する。
【背景技術】
【０００２】
従来、コンテンツを配信するサーバから様々なコンテンツを通信端末にダウンロードし、通信端末においてダウンロードしたコンテンツを利用することが行われている。
【０００３】
このような従来の通信端末として、通信手段によって通信を行う前に、通信を行う通信先から取得した通信品質情報を通信先識別子に対応させて通知する情報端末装置が知られている（例えば、特許文献１参照）。この情報端末装置によれば、予め通信先との間の通信品質情報を取得して記憶手段に格納しておくことで、情報端末装置からユーザが通信先を指定して情報を送信する前に、通信先毎の通信品質を参照することにより、ユーザは通信品質の良好な通信先を選択することができる。
【０００４】
【特許文献１】国際公開第０６／１０３８９６号パンフレット
【発明の開示】
【発明が解決しようとする課題】
【０００５】
しかしながら、このような従来の通信端末では、通信品質を知ることは可能であるものの、その通信品質に応じてどの程度の品質のコンテンツを取得したかを確認することができなかった。そのため、例えば通信品質が改善された場合であっても、既に取得したコンテンツより良好な品質のコンテンツを取得できるかどうかを判断することができなかった。
【０００６】
本発明は、上記の事情に鑑みてなされたものであって、サーバにおいて複数の品質のコンテンツが備えられている場合に、どの程度の品質のコンテンツを取得したかを確認することが可能な通信端末装置および情報表示方法を提供することを目的とする。
【課題を解決するための手段】
【０００７】
上記目的を達成するために、本発明の第１の通信端末装置は、同一コンテンツに対してコンテンツ品質が異なる複数のコンテンツを備え、通信を行う際の通信品質に基づいて選択した選択コンテンツ品質のコンテンツを配信するサーバから、前記選択コンテンツ品質のコンテンツを取得する通信端末装置であって、前記選択コンテンツ品質を示す情報、前記複数のコンテンツ品質のうち最高のコンテンツ品質を示す情報、および前記選択コンテンツ品質のコンテンツを受信する受信部と、前記最高のコンテンツ品質および前記選択コンテンツ品質に基づいて、前記最高のコンテンツ品質に対する前記選択コンテンツ品質の良好度を示すコンテンツ品質良好度を算出する算出部と、前記コンテンツ品質良好度を示す情報を表示する表示部とを有する構成としている。
【０００８】
この構成により、サーバにおいて複数の品質のコンテンツが備えられている場合に、どの程度の品質のコンテンツを取得したかを確認することが可能である。
【０００９】
また、本発明の第２の通信端末装置は、前記選択コンテンツ品質を示す情報および前記最高のコンテンツ品質を示す情報と前記サーバを識別するための通信先識別子とを対応付けて記憶する記憶部をさらに備える構成としている。
【００１０】
この構成により、通信先毎にどの程度の最高のコンテンツ品質、選択コンテンツ品質のコンテンツが備えられているかを確認することが可能である。
【００１１】
また、本発明の第３の通信端末装置は、前記受信部が、前記選択コンテンツ品質を示す情報として、前記サーバから前記通信品質に基づいた同一コンテンツの複数の選択コンテンツ品質を示す情報を受信し、前記算出部が、前記コンテンツ品質良好度を算出するための前記選択コンテンツ品質として、受信した前記複数の選択コンテンツ品質の時間平均値を用いる構成としている。
【００１２】
この構成により、サーバにおいて複数の品質のコンテンツが備えられている場合に、どの程度の品質のコンテンツを取得したかを確認することが可能である。
【００１３】
また、本発明の第４の通信端末装置は、前記受信部が、前記選択コンテンツ品質を示す情報として、前記サーバから前記通信品質に基づいた同一コンテンツの複数の選択コンテンツ品質を示す情報を定期的に受信し、前記算出部が、前記コンテンツ品質良好度を算出するための前記選択コンテンツ品質として、受信した前記複数の選択コンテンツ品質の平均値を用いる構成としている。
【００１４】
この構成により、サーバにおいて複数の品質のコンテンツが備えられている場合に、どの程度の品質のコンテンツを取得したかを確認することが可能である。
【００１５】
また、本発明の第５の通信端末装置は、当該通信端末装置と前記サーバとの間の前記通信品質を測定する通信品質測定部を有し、前記記憶部が、前記通信品質と前記通信先識別子とを対応付けて記憶する構成としている。
【００１６】
この構成により、通信品質を確認することが可能となり、おおよそどの程度の品質のコンテンツを取得可能な状態であるかを確認することが可能である。
【００１７】
また、本発明の第６の通信端末装置は、前記記憶部が、前記コンテンツ品質良好度をさらに記憶し、当該通信端末装置が、更に、前記記憶部に記憶された通信品質、コンテンツ品質良好度、および前記通信品質測定部によって測定された通信品質とに基づいて、前記通信品質測定部によって測定された通信品質で通信を行う場合の前記選択コンテンツ品質を予測するコンテンツ品質予測部を有する構成としている。
【００１８】
この構成により、ユーザは、サーバから取得したコンテンツ毎のコンテンツ品質がどの程度良好なものであるかを知ることができるとともに、通信品質が改善された場合に、既に取得したコンテンツより良好な品質のコンテンツを取得できるか否かを判断することができる。
【００１９】
また、本発明の第７の通信端末装置は、前記通信品質測定部が、電波強度、アンテナ強度、および接続網の種類の少なくとも１つに基づいて前記通信品質を測定する構成としている。
【００２０】
この構成により、ユーザは、サーバから取得したコンテンツ毎のコンテンツ品質を知ることができるとともに、通信品質が改善された場合に、既に取得したコンテンツより良好な品質のコンテンツを取得できるか否かを判断することができる。
【００２１】
また、本発明の第８の通信端末装置は、前記コンテンツを再生する再生部を有する構成としている。
【００２２】
この構成により、取得したコンテンツを再生することが可能である。尚、インテリジェントストリーミング機能を有するサーバからコンテンツを取得して再生した場合、取得したコンテンツのコンテンツ品質良好度は、再生品質の良好度と考えることが可能である。
【００２３】
また、本発明の第１の情報表示方法は、同一コンテンツに対してコンテンツ品質が異なる複数のコンテンツを備え、通信を行う際の通信品質に基づいて選択した選択コンテンツ品質のコンテンツを配信するサーバから、通前記選択コンテンツ品質のコンテンツを取得する通信端末装置の情報表示方法であって、前記選択コンテンツ品質を示す情報、前記複数のコンテンツ品質のうち最高のコンテンツ品質を示す情報、および前記選択コンテンツ品質のコンテンツを受信するステップと、前記最高のコンテンツ品質および前記選択コンテンツ品質に基づいて、前記最高のコンテンツ品質に対する前記選択コンテンツ品質の良好度を示すコンテンツ品質良好度を算出するステップと、前記コンテンツ品質良好度を示す情報を表示するステップとを有する方法としている。
【００２４】
この方法により、サーバにおいて複数の品質のコンテンツが備えられている場合に、どの程度の品質のコンテンツを取得したかを確認することが可能である。
【発明の効果】
【００２５】
本発明によれば、サーバにおいて複数の品質のコンテンツが備えられている場合に、どの程度の品質のコンテンツを取得したかを確認することが可能である。また、複数のコンテンツ品質のコンテンツを用意しているサーバからコンテンツを取得する際に、コンテンツ品質の測定や予測することができる。
【発明を実施するための最良の形態】
【００２６】
以下、本発明の実施形態に係る通信端末装置および情報表示方法について、図面を用いて説明する。
【００２７】
図１は、本発明の実施形態に係る無線通信端末の概略構成の一例を示す図である。無線通信端末１は、通信部１１と、通信先識別子情報管理部１２と、コンテンツ品質測定部１３と、通信品質測定部１４と、情報記憶部１５と、コンテンツ品質予測部１６と、表示部１７と、再生部１８と、アンテナ１９を有して構成される。尚、ここでは通信端末装置の一例として無線通信端末１について説明するが、有線通信端末であってもよい。
【００２８】
通信部１１は、通信先識別子が示す通信先との間で、アンテナ１９を介して無線通信を行う。通信先とは、例えば、通信網の基地局交換機を介して接続され、コンテンツを配信するサーバであり、通信先識別子には、例えば、ＵＲＬ（Ｕｎｉｆｏｒｍ  Ｒｅｓｏｕｒｃｅ  Ｌｏｃａｔｏｒ）がある。また、この通信部１１は、メディアデータの伝送を行うＲＴＰプロトコルスタック、クライアント（無線通信端末１）とサーバ間でセッションの確立や動画の再生、停止を通知するメッセージのやりとりを行うＲＴＳＰプロトコルスタック、パケットロス率やジッタ等の通信品質を伝えるＲＴＣＰプロトコルスタックの下で、情報のやりとりを行うことが可能である。尚、通信部１１は、「受信部」としての機能を有する。
【００２９】
ここで、コンテンツを配信するサーバとしては、例えば、コンテンツ毎にビットレート（品質）の異なる複数のストリームを備え、ユーザと通信を行う際の通信品質によって、最適なビットレートのストリームを選択して配信することが可能なインテリジェントストリーミング機能を有するコンテンツ配信サーバが考えられる。
【００３０】
通信先識別子情報管理部１２は、通信先から通信部１１を介して渡された通信先識別子を情報記憶部１５に登録する。
【００３１】
コンテンツ品質測定部１３は、通信回線を介して通信部１１に得られたコンテンツのコンテンツ品質を測定（算出）して、そのコンテンツ品質を情報記憶部１５に記憶する。尚、コンテンツ品質測定部１３は、「算出部」としての機能を有する。
【００３２】
通信品質測定部１４は、通信部１１から得られた電波強度やアンテナ強度や接続網（例えば、ＦＯＭＡ（登録商標）やＨＳＤＰＡなど）の種類等に基づいて通信品質を測定し、情報記憶部１５に通信先識別子と対応付けて測定した通信品質を記憶する。例えば、一定時間品質を測定し、その平均値から通信品質を求めてもよいし、瞬間的な通信品質を定期的に測定し、その測定回数分の平均値から求めてもよいし、その他の方法で求めてもよい。
【００３３】
情報記憶部１５は、通信先識別子情報管理部１２で得られた通信先識別子と、この通信先識別子に対応させて、コンテンツ品質測定部１３で得られたコンテンツ品質と通信品質測定部１３で得られた通信品質とを記憶する。また、情報記憶部１５は、通信部１１で取得したコンテンツを記憶することも可能である。尚、情報記憶部１５は、「記憶部」としての機能を有する。
【００３４】
コンテンツ品質予測部１６は、情報記憶部１５を検索して取得した通信先識別子に対応するコンテンツ品質情報および通信品質情報と、通信品質測定部１４で測定された現在の通信品質情報とに基づいて、現在コンテンツを取得する場合のコンテンツ品質を予測（算出）する。
【００３５】
表示部１７は、コンテンツ品質を表示したり、通信品質を表示したり、サーバからダウンロードしたコンテンツの再生履歴情報（例えば後述する図７参照）を表示したりする。尚、図示はしないが、音声出力部による音声出力によって、これらの表示を代用してもよい。また、表示部１７は、再生したコンテンツの表示も行う。
【００３６】
再生部１８は、通信部１１で取得したコンテンツや記憶されたコンテンツを再生する。
【００３７】
次に、コンテンツ品質測定部１３の動作の一例について説明する。
図２は、コンテンツ品質測定部１３の動作手順の一例を説明するためのフローチャートである。
【００３８】
まず、測定回数ｎおよびタイマーＴのそれぞれの初期値を「０」に設定する（ステップＳ１０１）。尚、この測定回数は、サーバから配信されるコンテンツ品質が変更された場合に加算される。
【００３９】
続いて、ステップ１０２では、サーバから通信部１１に受信するコンテンツについて、サーバが保有する複数の品質のコンテンツのうち、その最高のコンテンツ品質Ｃｍａｘを取得する。
【００４０】
続いて、サーバが通信網の通信品質を勘案して配信したコンテンツの実際のコンテンツ品質である実効コンテンツ品質Ｃ’ｎをサーバから取得する（ステップＳ１０３）。
【００４１】
続いて、ステップＳ１０４では、タイマーをＴｎ＝０からスタートする。
【００４２】
続いて、ステップＳ１０５では、サーバから送られるコンテンツについて、コンテンツ品質が変更されたか、又は、通信部１１によるコンテンツの取得が終了したかを判定する。
【００４３】
コンテンツ品質が変更されていないか、又は、コンテンツの取得が終了していない場合は、ステップＳ１０５の処理を繰り返す。尚、コンテンツ品質の変更は、サーバで行われる。
【００４４】
一方、コンテンツ品質が変更されたか、又は、コンテンツの取得が終了した場合は、実効コンテンツ品質の時間和Ｃ’＋を算出する（ステップＳ１０６）。実効コンテンツ品質の時間和Ｃ’は、Ｃ’＋＝Ｃ’ｎ＊Ｔｎで表される。
【００４５】
続いて、ステップＳ１０７では、コンテンツの取得が終了したか否かを判定する。判定の結果、取得が終了していない場合は、ステップＳ１０８の手順で測定回数ｎを加算してステップＳ１０３の手順に戻り、以降の処理を繰り返す。
【００４６】
一方、ステップＳ１０７の手順でコンテンツの取得が終了したと判定した場合は、実効コンテンツ品質Ｃ’ｎをタイマー時間Ｔで除算し、実効コンテンツ品質の平均値Ｃａｖｅを算出する（ステップＳ１０９）。つまり、Ｃａｖｅ＝Ｃ’ｎ／Ｔとなる。
【００４７】
続いて、実効コンテンツ品質の平均値Ｃａｖｅを最高コンテンツ品質Ｃｍａｘで除算することにより、実際に無線通信端末１において取得することができたコンテンツ品質Ｃを算出する（ステップＳ１１０）。この除算は、最高コンテンツ品質Ｃｍａｘに対する実行コンテンツ品質の平均値Ｃａｖｅの度合いを算出するための算出方法の一例である。
【００４８】
尚、無線通信端末１では、コンテンツのストリーミング再生を行うため、コンテンツの取得とコンテンツの再生のタイミングはほとんど同じであり、例えば上記ステップにおいてコンテンツの取得終了を判定する代わりに、コンテンツの再生終了を判定してもよい。
【００４９】
このようにして算出されたコンテンツ品質Ｃは、サーバの通信先識別子に対応付けて情報記憶部１５に記憶される。
【００５０】
尚、ここでは、取得したコンテンツの品質の時間平均を用いてコンテンツ品質Ｃを算出しているが、これはコンテンツ品質を算出するための処理の一例であり、他の方法でコンテンツ品質を算出してもよい。例えば、定期的（例えば１０秒毎）に実効コンテンツ品質Ｃ’を取得し、その平均値を用いてコンテンツ品質Ｃを算出してもよい。
【００５１】
次に、コンテンツ品質の算出方法の具体例について説明する。
図３は、コンテンツ品質測定部１３で測定されるコンテンツ品質の具体例を示す図である。
【００５２】
図３において、サーバから配信される所定のコンテンツの最高コンテンツ品質Ｃｍａｘは、レベル１０００（１０００ｋｂｐｓ）である。また、無線通信端末１は、コンテンツの受信開始からＴ０＝３０の期間は、実効コンテンツ品質Ｃ’０のレベルが８００（８００ｋｂｐｓ）でコンテンツを取得し、続くＴ１＝４０の期間は、サーバによって変更された実効コンテンツ品質Ｃ’１のレベル５００（５００ｋｂｐｓ）でコンテンツを取得し、更に、Ｔ２＝１０の期間で変更された実効コンテンツ品質Ｃ’２のレベル２５０（２５０ｋｂｐｓ）でコンテンツを取得した例を示している。
【００５３】
この例において、実効コンテンツ品質の時間和Ｃ’は、
Ｃ’＝（Ｃ’０＊Ｔ０）＋（Ｃ’１＊Ｔ１）＋（Ｃ’２＊Ｔ２）＝４６５００
となる。
【００５４】
そして、実効コンテンツ品質の時間平均値Ｃａｖｅは、
Ｃａｖｅ＝Ｃ’／Ｔ＝５８１．２５
となる。
【００５５】
したがって、無線通信端末１において実際に取得することができたコンテンツ品質Ｃは、
Ｃ＝Ｃａｖｅ／Ｃｍａｘ＝０．５８１２５＝５８％
と、算出される。
【００５６】
このようにして算出されたコンテンツ品質Ｃの５８％は、サーバの通信先識別子とともに情報記憶部１５に記憶される。
【００５７】
次に、コンテンツ品質の一例について説明する。
図４は、コンテンツ品質の一例を説明するための模式図である。
【００５８】
図４（ａ）に示すケース１は、サーバに用意されたコンテンツＡのコンテンツ品質がレベル５のみである場合であり、サーバはコンテンツ品質がレベル５のコンテンツＡを通信品質がレベル５の通信網を介してユーザの無線通信端末１（有線通信端末でも可）に配信する。これにより、無線通信端末１は、コンテンツＡをサーバに用意されたコンテンツ品質の最高レベル５、すなわちコンテンツ品質１００％で取得したことになり、これを記憶する。
【００５９】
図４（ｂ）に示すケース２は、サーバに用意されたコンテンツＢのコンテンツ品質がレベル８、５、２と３種類ある場合であり、サーバはこの中からコンテンツ品質がレベル５のコンテンツＢを通信品質がレベル５の通信網を介してユーザの無線通信端末１（有線通信端末でも可）に配信する。これにより、無線通信端末１は、コンテンツＢをレベル５のコンテンツ品質、すなわちサーバに用意されたコンテンツ品質の最高レベル８に対して６３％のコンテンツ品質で受信して取得したことになり、これを記憶する。
【００６０】
したがって、無線通信端末１は、上記ケース１、２のいずれの場合であっても、例えばコンテンツＢについて通信網の通信品質がレベル５以上であれば、コンテンツ品質が６３％より向上したものを取得できるだろうと判断することができる。
【００６１】
次に、コンテンツ品質の情報の表示例について説明する。
図５は、表示部１７によるコンテンツ品質の情報の表示例を示す図である。
【００６２】
図５は、図４に示したように、コンテンツＡがコンテンツ品質１００％で取得され、コンテンツＢがコンテンツ品質６３％で取得されたことを示すものであり、この情報は例えばコンテンツの取得履歴やコンテンツの再生履歴として無線通信端末１に保持される。ユーザはこの表示を見ることにより、コンテンツＢのコンテンツ品質が最高レベルでなかったとして、このコンテンツを通信品質が向上したときに再取得すべきかどうかの判断材料にすることができる。
【００６３】
次に、コンテンツ品質予測部１６の動作の一例を説明する。
図６は、コンテンツ品質予測部１６の動作手順の一例を説明するためのフローチャートである。
【００６４】
まず、情報記憶部１５を検索して通信先識別子に対応する過去の通信品質情報Ｒｐおよびコンテンツ品質Ｃｐをそれぞれ取得する（ステップＳ２０１、Ｓ２０２）。
【００６５】
続いて、通信品質測定部１４で測定された電波強度やアンテナ強度や接続網の種類等に基づく現在の通信品質情報Ｒｎを取得する（ステップＳ２０３）。
【００６６】
続いて、ステップＳ２０４では、取得した通信品質情報Ｒｐ、Ｒｎ及びコンテンツ品質Ｃｐに基づいて、次式によりコンテンツ品質の予測値（予測コンテンツ品質）Ｃｅを算出する（ステップＳ２０４）。
Ｃｅ＝Ｃｐ×Ｒｎ／Ｒｐ
尚、予測コンテンツ品質とは、現在の通信品質Ｒｎであればサーバから取得可能であろうコンテンツの品質のことである。
【００６７】
続いて、ステップＳ２０５では、算出した予測コンテンツ品質Ｃｅが１００％を超えたか否かを判定する。その結果、１００％を超えていない場合は、予測コンテンツ品質Ｃｅが求められたとして処理を終了する。
【００６８】
一方、ステップＳ２０５の手順で算出した予測コンテンツ品質Ｃｅが１００％を超えたと判定された場合は、Ｃｅを最高コンテンツ品質の１００％として（ステップＳ２０６）、処理を終了する。
【００６９】
このようにして、現在の通信品質を測定することにより、例えば、今コンテンツを取得すると、コンテンツ品質がどのように過去と比較して変わるかを予測することができる。
【００７０】
例えば、過去の通信品質のレベルが５で、サーバに用意されたコンテンツの最高コンテンツ品質が１０だった場合、今回測定した通信品質が５から７に上がっていれば、コンテンツ品質も向上し、かつ、その向上の程度も予測することができる。
【００７１】
次に、予測コンテンツ品質の情報の表示例について説明する。
図７は、表示部１７による予測コンテンツ品質の情報の表示例を示す図である。
【００７２】
図７（ａ）は、過去に取得したコンテンツ毎に、現在の通信品質における予測コンテンツ品質を％で表したものであり、括弧内には過去に比較してどの程度向上、或いは低下するかを示している。図７（ｂ）は、予測コンテンツ品質に代わり、コンテンツの品質の予測値を予測伝送速度（ビットレート）で表したものである。このような情報は、例えばコンテンツの取得履歴やコンテンツの再生履歴として無線通信端末１に保持される。
【００７３】
図７の表示により、ユーザは、過去におけるコンテンツ品質と予測コンテンツ品質との差異を容易に認識可能であり、より品質のよいコンテンツを取得することが可能である。
【００７４】
尚、図７の表示は、予測したコンテンツ品質の情報を表示する場合の一例であり、過去のコンテンツ品質と予測したコンテンツ品質との差異をユーザが認識可能であれば、％やビットレート以外の情報の表示を行っても良い。
【００７５】
このように、無線通信端末１は、複数のコンテンツ品質のコンテンツを用意しているサーバから最高コンテンツ品質の情報と、サーバが通信品質に基づいて決定するコンテンツ品質のコンテンツを取得し、コンテンツ取得中に測定した実効コンテンツ品質からその時間平均を求め、最高コンテンツ品質に対する割合を取得したコンテンツ品質として算出し、記憶する。これにより、ユーザは、どの程度の品質のコンテンツを取得したかを知ることができる。
【００７６】
特に、通信端末として無線通信端末１を用いた場合、通信品質はサーバと無線通信端末１とを取り巻く通信環境によって大きく変化する場合がある。したがって、ユーザが取得したコンテンツの品質を知り得ることは、大変有益である。
【００７７】
また、サーバからコンテンツを取得する際に、更に通信品質を測定して記憶する。これにより、後に再生履歴を見たときに、記憶した過去に取得したコンテンツのコンテンツ品質および過去の通信品質を検索し、現在測定した通信品質に基づいて比例計算を行い、現在コンテンツを取得する場合のコンテンツ品質を予測することができ、コンテンツを再取得すべきかどうかの判断材料にすることができる。
【産業上の利用可能性】
【００７８】
本発明は、サーバにおいて複数の品質のコンテンツが備えられている場合に、どの程度の品質のコンテンツを取得したかを確認することが可能な通信端末装置等に有用である。
【図面の簡単な説明】
【００７９】
【図１】本発明の実施形態に係る無線通信端末の概略構成の一例を示す図
【図２】本発明の実施形態に係るコンテンツ品質測定部の動作手順の一例を説明するためのフローチャート
【図３】本発明の実施形態に係るコンテンツ品質測定部で測定されるコンテンツ品質の具体例を示す図
【図４】（ａ）本発明の実施形態に係るサーバに用意されたコンテンツのコンテンツ品質が１種類である場合のコンテンツ品質の一例を説明するための模式図（ｂ）本発明の実施形態に係るサーバに用意されたコンテンツのコンテンツ品質が複数種類ある場合のコンテンツ品質の一例を説明するための模式図
【図５】本発明の実施形態に係る表示部によるコンテンツ品質の情報の表示例を示す図
【図６】本発明の実施形態に係るコンテンツ品質予測部の動作手順の一例を説明するためのフローチャート
【図７】本発明の実施形態に係る表示部による予測コンテンツ品質の表示例を示す図
【符号の説明】
【００８０】
１  無線通信端末
１１  通信部
１２  通信先識別子情報管理部
１３  コンテンツ品質測定部
１４  通信品質測定部
１５  情報記憶部
１６  コンテンツ品質予測部
１７  表示部
１８  再生部
【図１】
2009117963.tif 000003
【図２】
2009117963.tif 000004
【図３】
2009117963.tif 000005
【図４】
2009117963.tif 000006
【図５】
2009117963.tif 000007
【図６】
2009117963.tif 000008
【図７】
2009117963.tif 000009